(57)【要約】【課題】大判の原稿は、持ち運びの利便性からＡ４サイズなどに折りたたまれた原稿をスキャンすると、その折り目が画像読取の結果に影響を与える。【解決手段】原稿の画像を読取る読取センサと、原稿と読取センサとのうちいずれかを所定の搬送方向に搬送する搬送手段とを有し、読取センサは、それぞれに複数の読取素子が配列された第１のセンサと第２のセンサとを備えた装置で、次のように読取を行う。第１と第２のセンサとは、前記搬送方向において互いに重複する重複領域を有するように配置され、その重複領域において、第１のセンサの発光部の前記原稿への照射角度と、第２のセンサの発光部の前記原稿への照射角度とは異ならせて、原稿の画像を読取る。【選択図】  図６
2018125771.tif 000002
【特許請求の範囲】
【請求項１】
原稿の画像を読取る画像読取装置であって、
読取センサと、
前記原稿と前記読取センサとのうちいずれか一方を所定の搬送方向に搬送する搬送手段とを有し、
前記読取センサは、それぞれに複数の読取素子が配列された第１のセンサと第２のセンサとを備え、
前記第１のセンサと前記第２のセンサとは、前記搬送方向において互いに重複する重複領域を有し、
前記重複領域において、前記第１のセンサの発光部の前記原稿への照射角度と、前記第２のセンサの発光部の前記原稿への照射角度とは異なっていることを特徴とする画像読取装置。
【請求項２】
前記第１のセンサは、
前記原稿の搬送方向に関して上流側に受光部を配置し、前記搬送方向に関して下流側に前記発光部を配置し、
前記第２のセンサは、
前記原稿の搬送方向に関して上流側に前記発光部を配置し、前記原稿の搬送方向に関して下流側に受光部を配置することを特徴とする請求項１に記載の画像読取装置。
【請求項３】
前記重複領域により、前記第１のセンサの読取範囲と前記第２のセンサの読取範囲とは一部が重なる重なり部を有することを特徴とする請求項１又は２に記載の画像読取装置。
【請求項４】
前記読取センサからの出力信号に基づき、画像データを生成する画像処理部をさらに備え、
前記画像処理部は、前記第１のセンサからの出力信号と前記第２のセンサからの出力信号とに基づき前記重なり部の画像データを生成することを特徴とする請求項３に記載の画像読取装置。
【請求項５】
前記画像処理部は、前記第１のセンサからの出力信号と前記第２のセンサからの出力信号とに基づいて、前記原稿の状態を判別することを特徴とする請求項４に記載の画像読取装置。
【請求項６】
前記原稿の状態とは、前記原稿の折り目かあるかどうか、又は、前記原稿に付着した異物があるかどうかを含むことを特徴とする請求項５に記載の画像読取装置。
【請求項７】
前記画像処理部は、前記判別の結果に従って補正することにより、前記画像の補正を行うことにより、前記重なり部の画像データを生成することを特徴とする請求項５又は６に記載の画像読取装置。
【請求項８】
前記読取センサは、複数の前記第１のセンサと複数の前記第２のセンサとを備え、前記第１のセンサと前記第２のセンサとは交互に配列されていることを特徴とする請求項１乃至７のいずれか１項に記載の画像読取装置。
【請求項９】
請求項１乃至８のいずれか１項に記載の画像読取装置と、
記録媒体に画像を記録する記録部とを含むことを特徴とするプリンタ装置。
【請求項１０】
前記記録部はインクジェット記録ヘッドにより記録を行うことを特徴とする請求項９に記載のプリンタ装置。
【請求項１１】
原稿の画像を読取る読取センサと、前記原稿と前記読取センサとのうちいずれか一方を所定の搬送方向に搬送する搬送手段とを有し、前記読取センサは、それぞれに複数の読取素子が配列された第１のセンサと第２のセンサとを備えた画像読取装置の画像読取方法であって、
前記第１のセンサと前記第２のセンサとを、前記搬送方向において互いに重複する重複領域を有するように配置し、
前記重複領域において、前記第１のセンサの発光部の前記原稿への照射角度と、前記第２のセンサの発光部の前記原稿への照射角度とは異ならせて、前記原稿の画像を読取ることを特徴とする画像読取方法。
【発明の詳細な説明】
【技術分野】
【０００１】
本発明は画像読取装置、プリンタ装置、及び画像読取方法に関し、特に、スキャナ部と、例えば、インクジェット記録ヘッドにより記録媒体に対して記録を行う記録部とを備えた画像読取装置、多機能プリンタ装置、及び画像読取方法に関する。
【背景技術】
【０００２】
大判で図面を出力したときなどに、持ち運びの利便性からその図面を、例えば、Ａ４サイズに折りたたむことがある。折りたたまれた原稿（図面）をスキャンする際に、折り目が起因の凹凸が読取画像に影響を与えることがある。このため、その影響を軽減するために、原稿の読取角度を異ならせて読取りを実行することで、画像の凹凸を検出し、読み取り画像補正を行う技術が開示されている（特許文献１参照）。
【先行技術文献】
【特許文献】
【０００３】
【特許文献１】特開２０１５−１７３３５０号公報
【発明の概要】
【発明が解決しようとする課題】
【０００４】
しかしながら上記従来例では、画像の凹凸位置を判別して、画像補正を行うことができるが、原稿を複数回、読取るため、読取完了までの時間が長くなるという課題がある。また、原稿の読取角度を異ならせる機構が必要となり、装置構成が複雑となり、装置コストが高くなるという別の課題も生じてしまう。
【０００５】
本発明は上記従来例に鑑みてなされたもので、原稿の状態を判別して、例えば、読取画像の補正などを行うことが可能な画像読取装置、プリンタ装置、及び画像読取方法を提供することを目的としている。
【課題を解決するための手段】
【０００６】
上記目的を達成するために本発明の画像読取装置は次のような構成を有する。
【０００７】
即ち、原稿の画像を読取る画像読取装置であって、読取センサと、前記原稿と前記読取センサとのうちいずれか一方を所定の搬送方向に搬送する搬送手段とを有し、前記読取センサは、それぞれに複数の読取素子が配列された第１のセンサと第２のセンサとを備え、前記第１のセンサと前記第２のセンサとは、前記搬送方向において互いに重複する重複領域を有し、前記重複領域において、前記第１のセンサの発光部の前記原稿への照射角度と、前記第２のセンサの発光部の前記原稿への照射角度とは異なっていることを特徴とする。
【０００８】
また本発明を他の側面から見れば、上記構成の画像読取装置と、記録媒体に画像を記録する記録部とを含むことを特徴とするプリンタ装置を備える。
【０００９】
さらに本発明を他の側面から見れば、原稿の画像を読取る読取センサと、前記原稿と前記読取センサとのうちいずれか一方を所定の搬送方向に搬送する搬送手段とを有し、前記読取センサは、それぞれに複数の読取素子が配列された第１のセンサと第２のセンサとを備えた画像読取装置の画像読取方法であって、前記第１のセンサと前記第２のセンサとを、前記搬送方向において互いに重複する重複領域を有するように配置し、前記重複領域において、前記第１のセンサの発光部の前記原稿への照射角度と、前記第２のセンサの発光部の前記原稿への照射角度とは異ならせて、前記原稿の画像を読取ることを特徴とする画像読取方法を備える。
【発明の効果】
【００１０】
従って本発明によれば、例えば、折り目のような原稿の状態を判別して、読取画像の補正などを行うことができるという効果がある。
【図面の簡単な説明】
【００１１】
【図１】本発明の代表的な実施例であるインクジェット記録ヘッドにより記録を行う記録部を備えた多機能プリンタ装置の構成を示す斜視図である。
【図２】画像読取部の概略構成を示す斜視図である。
【図３】複数のセンサを千鳥状に配置して構成したラインセンサによる読取画像を説明する模式図である。
【図４】図１に示した大判ＭＦＰの画像読取部の制御構成を示すブロック図である。
【図５】画像読取処理を概要を示すフローチャートである。
【図６】２つのセンサそれぞれの受光部と発光部の関係を模式的に表す図である。
【図７】折り目のある原稿を挿入して画像を読取り行った場合における２つのセンサからの出力特性を模式的に示す図である。
【図８】折り目領域における第１のセンサからの照射光と原稿による反射光を模式的に示す図である。
【図９】折り目領域における第２のセンサからの照射光と原稿による反射光を模式的に示す図である。
【図１０】重なり部における補正方法を模式的に示す図である。
【発明を実施するための形態】
【００１２】
以下添付図面を参照して本発明の好適な実施例について、さらに具体的かつ詳細に説明する。なお、以下の説明では、図面全体を通して、同じ構成要素に対して同じ参照番号を付して言及する。そのため、一度説明した構成要素に対しては同じ参照番号を用いて言及し、その説明を繰り返すことはしない。
【００１３】
なお、この明細書において、「記録」（「プリント」という場合もある）とは、文字、図形等有意の情報を形成する場合のみならず、有意無意を問わない。さらに人間が視覚で知覚し得るように顕在化したものであるか否かも問わず、広く記録媒体上に画像、模様、パターン等を形成する、または媒体の加工を行う場合も表すものとする。
【００１４】
また、「記録媒体」とは、一般的な記録装置で用いられる紙のみならず、広く、布、プラスチック・フィルム、金属板、ガラス、セラミックス、木材、皮革等、インクを受容可能なものも表すものとする。
【００１５】
さらに、「インク」（「液体」と言う場合もある）とは、上記「記録（プリント）」の定義と同様広く解釈されるべきものである。従って、記録媒体上に付与されることによって、画像、模様、パターン等の形成または記録媒体の加工、或いはインクの処理（例えば記録媒体に付与されるインク中の色剤の凝固または不溶化）に供され得る液体を表すものとする。
【００１６】
図１は本発明の代表的な実施例であるインクジェット記録ヘッドにより記録を行う記録部を備えた多機能プリンタ装置（ＭＦＰ）の構成を示す斜視図である。図１に示すＭＦＰは特に、Ａ０やＡ１サイズの記録媒体に記録を行う記録部と同様にＡ０やＡ１サイズの原稿の画像を光学的に読取る読取部とを備えた大判複合機である。
【００１７】
なお、この実施例で説明する画像読取部は、単機能の大判画像読取装置（スキャナ）として用いても良い。
【００１８】
図１に示すように、大判のＭＦＰはスタンド７に設置され、記録部（プリンタ部）６と画像読取部（スキャナ部）８とから構成される。記録部６はインクジェット記録ヘッドを搭載したキャリッジを往復走査して、例えば、Ａ０サイズやＡ１サイズの大判の記録媒体にインクを吐出して画像を記録することができる。一方、画像読取部（スキャナ部）８は、上部にカバー３を備え、下部の筺体４にキャリッジ移動方向に複数の記録素子を配列したＣＩＳなどのラインセンサを実装している。そして、そのラインセンサにより搬送される原稿の画像を読取る。
【００１９】
このような大判ＭＦＰの操作は図面右側に設けられた操作パネル９をユーザが操作することによって行う。操作パネル９には装置の動作状況を表示するＬＥＤランプやメッセージを表示するＬＣＤやユーザが指示を行うキーなどが設けられている。
【００２０】
図２は画像読取部の概略構成を示す斜視図である。図２では、説明を簡略化するため、原稿の排紙部を取り外した状態で示されている。
【００２１】
図２に示されている搬送ローラ１を回転させることにより、原稿を、例えば、図１に示すＭＦＰの前方から後方へ搬送させることで、原稿の画像をラインセンサで読取る。なお、原稿の画像読取方式は、図２に示すような原稿を搬送するシートフィード方式の他に、ラインセンサを所定の方向に移動させる方式がある。しかしながら、ラインセンサを移動させる方式で大判の画像読取部を構成した場合、大判サイズの読取台が必要になる。このような理由から、より代表的な構成として、この実施例では、原稿を搬送してその原稿を読取るシートフィード方式を用いている。
【００２２】
なお、原稿がカットシートである場合、そのカットシートを固定し、ラインセンサを搬送する方式を用いても良い。
【００２３】
光学的に画像を読取るラインセンサ２は、所定の方向（この実施例ではキャリッジ移動方向）に複数の読取センサ（以下、センサ）を千鳥状に交互に配置して長い読取幅（例えば、Ａ０やＡ１の横幅、）の一列の検出部を構成している。そして、各センサの発光部と受光部は同一側に配置され、発光部から原稿に照射された照射光が原稿により反射された反射光を受光部で検出する。このように、例えば、Ａ４サイズの読取部を千鳥状に配列して大判の原稿幅に対応するために、長い読取幅を有する１つの検出部を製造するよりも、Ａ４サイズスキャナと共通技術を使用可能であり、装置の製造コストを削減できる。
【００２４】
そのため、大判画像読取部（装置）を安価に実現する場合、センサの一部を重なり合わせた千鳥配置の構成を採用することが好適である。
【００２５】
図３は複数のセンサを千鳥状に交互に配置して構成したラインセンサによる読取画像を説明する模式図である。
【００２６】
図３では、ラインセンサを構成する複数のセンサのうち、センサ（第１のセンサ）２０とセンサ（第２のセンサ）２１を例にとって説明するが、これら２つのセンサは原稿を走査する方向から見た場合に、互いに重複する領域（重複領域）を有する。即ち、その重複領域では、センサ２０の読取範囲とセンサ２０の読取範囲とが、これらセンサの配置方向に重なっているのである。従って、原稿を搬送しながら画像を読取って得られる、センサ２０からの画像２６（太い実線）とセンサ２１からの画像２７（太い破線）は、画像の面に垂直な方向において（即ち、画像を上から見た場合に）、その一部が重なっている重なり部２３が形成される。重なり部２３で検出した画像は、原稿の同一部分を検出した結果である。
【００２７】
図４は、図１に示した大判ＭＦＰの画像読取部の制御構成を示すブロック図である。
【００２８】
図４に示すように、画像読取部は、マイクロコンピュータ形態のＣＰＵを有するコントローラ１０７によって制御される。コントローラ１０７（ＣＰＵ）は、プログラムや所要のテーブルその他の固定データを格納したＲＯＭ１０３や画像を読取って得られた画像データを展開するバッファ領域やプログラムの作業領域を設けたＲＡＭ１０３にアクセスする。
【００２９】
Ａ／Ｄ変換器（Ａ／Ｄ）１０１は、ラインセンサを構成する複数のセンサ１００から取得したアナログ信号をＡ／Ｄ変換し、デジタル信号を出力する。画像処理部１０２は、Ａ／Ｄ変換器（Ａ／Ｄ）１０１から出力されたデジタル信号に基づき、補正や画像処理を施すことにより、読取結果である画像データを生成する。ここでは、画像処理部１０２は、原稿の搬送に合わせた読取タイミングの調整も行なう。画像処理部１０２は、ＡＳＩＣ、ＣＰＵ等の１つ以上のプロセッサを備えており、このプロセッサにより画像データの生成を行う。
【００３０】
操作パネル９には、上述したように、ユーザによる指示入力を受付けるスイッチやＬＥＤやＬＣＤを備える。そのスイッチには、ＭＦＰに電力を投入するための電源スイッチや画像読取を指示するためスキャンスイッチ、画像補正を指示する画像補正スイッチなどを含む。搬送モータ１０６は原稿を走査するため駆動源となる。インタフェース部（Ｉ／Ｆ）１０４は記録部又は外部装置に対して画像データを出力する。その外部出力には、例えば、ＵＳＢメモリを装着するインタフェースなども含まれ、ＵＳＢインタフェースを介して装着されたＵＳＢメモリに画像データを直接保存することが可能である。
【００３１】
次に、以上の構成の大判ＭＦＰの画像読取部が実行する画像読取処理について、図５〜図１０を参照して説明する。なお、ここでは説明を簡単にするために、上述した千鳥配置した２つのセンサ（第１のセンサと第２のセンサ）を用いて原稿の画像を読取る例について取り上げる。
【００３２】
図５は画像読取処理を概要を示すフローチャートである。
【００３３】
まず、ステップＳ１では、第１のセンサ２０で画像を読取る、即ち、千鳥配置された１つ目のセンサで画像読取を開始する。このとき、大判画像読取部を構成するためのＡ４サイズのセンサが５つ千鳥配置されていれば、３番目のセンサ、５番目のセンサからも同時に画像読取を行う。３番目のセンサと、５番目のセンサの読取動作について詳細な説明は省略するが、第１のセンサと基本的には同じになる。
【００３４】
次に、ステップＳ２では、第２のセンサ２１で画像を読取る、即ち、原稿が搬送され第２のセンサ２１による検出領域に到達したら、千鳥配置された２つ目のセンサで画像読取を開始する。このとき、大判画像読取部を構成するためのＡ４サイズのセンサが５つ千鳥配置されていれば、２番目のセンサ、４番目のセンサからも同時に画像読取を行う。なお、２番目のセンサと４番目のセンサによる読取動作と、１番目、３番目、５番目のセンサによる読取動作は、画像の検出においては、独立である。そのため、原稿が搬送されるに従って、それぞれのセンサの検出領域を原稿が通過する際に、１度の読取を行なう。
【００３５】
なお、以上の説明は、奇数番目のセンサが原稿の搬送方向に関して上流側に配置される構成を前提としているが、偶数番目のセンサ部が、上流側に配置される構成であっても良い。
【００３６】
さらに、ステップＳ３では、画像処理部１０２が画像データを生成する。この際、重なり部２３における２つの画像の読取結果を比較し、画像補正を行う箇所を抽出する。そして、補正が必要な箇所に対する補正値を導出する。これについては、図６〜図９を参照して詳細に説明する。
【００３７】
図６は２つのセンサそれぞれの受光部と発光部の関係を模式的に表す図である。
【００３８】
図６に示されるように、筺体４において、第１のセンサ２０は原稿の搬送方向の上流側（原稿の挿入口側）に、第２のセンサ２１は原稿の搬送方向の下流側（原稿の排出口側）に配置される。第１のセンサ２０と第２のセンサ２１は、発光部２４、２８と受光部２５、２８をそれぞれ有した一体型ユニットとして構成される。実際は、これら２つのセンサは図に垂直方向に複数の読取素子が配列される。
【００３９】
また、図６から分かるように、第１のセンサ２０は、原稿の搬送方向の上流側に受光部２５を配置し、下流側に発光部２４を配置する一方、第２のセンサ２１は、原稿の搬送方向の上流側に発光部２８を配置し、下流側に受光部２９を配置する。また、２つのセンサは、外光による影響を避けるために原稿の搬送方向に十分に離れて配置される。このような配置構成により、第１のセンサ２０の発光部２４から原稿へ照射される照射光の角度（照射角度は第２のセンサ２１の発光部２８から原稿へ照射される照射光の角度（照射角度）が異なる。
【００４０】
第１のセンサ２０及び第２のセンサ２１における発光部と受光部の配置は、図６に例示した配置とは逆の配置も特性上は可能である。しかしながら、装置を小型化にするためには、第１のセンサ２０の発光部２４を原稿の走査方向の上流側へ向け、第２のセンサ２１の発光部２８を逆向きにすることで、２つのセンサを近づけることが可能になる。
【００４１】
図７は折り目のある原稿を挿入して画像を読取り行った場合における２つのセンサからの出力特性を模式的に示す図である。
【００４２】
図７の上側には、折り目のある原稿５を挿入した様子が模式的に示されており、図７の下側には第１のセンサ２０、第２のセンサ２１それぞれの出力信号が示されている。
【００４３】
原稿の搬送方向に関し上流側に配置される第１のセンサ２０から時間的には先に出力信号が検出されるが、図７では、原稿の検出位置に対する出力として示されている。２つのセンサ間の距離はそれぞれの機体によって固定であるため、取得画像に対する処理も同一位置として行なうことができる。
【００４４】
図７の下側には、原稿５の全域に対して、第１のセンサ２０からの出力信号３０と第２のセンサ２１からの出力信号３１を示している。原稿先端部の検出は原稿ありなしでの検出が可能であるため、原稿を搬送する搬送ローラの駆動とセンサの発光部の照射タイミングにより、第１のセンサ２０と第２のセンサ２１が原稿の先端からのどの位置を読取りしているかを判別可能である。また、第１のセンサ２０と第２のセンサ２１の出力信号は、折り目のない位置では同じ強度になるが、図７では視認性を高めるために、別々に図示している。折り目のなし領域では、第１のセンサ２０と第２のセンサ２１の出力信号は同じ特性で同じ信号強度である一方で、折り目領域では、第１のセンサ２０と第２のセンサ２１では、出力信号の特性が異なっている。これは、折り目位置と２つのセンサの発光部と受光部の配置構成により出力信号が変化するためである。
【００４５】
図８は折り目領域における第１のセンサからの照射光と原稿による反射光を模式的に示す図である。
【００４６】
図８（ａ）に示す場合、発光部２４からの照射光は、折り目による原稿５の形状から多くの光が受光部２５の方向に反射される。そのため、受光部２５から出力信号の強度は大きくなる。一方、図８（ｂ）に示す場合、発光部２４からの光は、折り目による原稿５の形状から多くの光が受光部２５とは異なる方向に反射される。そのため、受光部２５からの出力信号の強度は小さくなる。これに対して、発光部の向きを異ならせた第２のセンサ２１では、原稿の同じ位置を検出しても発光部と受光部の配置構成により、出力結果が異なる。
【００４７】
図９に折り目領域における第２のセンサからの照射光と原稿による反射光を模式的に示す図である。
【００４８】
図９（ａ）に示す場合、原稿位置は図８（ａ）に示す場合と同じだが、出力信号は小さくなる。図９（ｂ）に示す場合、原稿位置は図８（ｂ）に示す場合と同じだが、出力信号は大きくなる。
【００４９】
折り目に代表されるような原稿の状態に変化がない場合、第１のセンサ２０と第２のセンサ２１の出力信号は同じになる。これに対して、原稿５に変化が発生すると、２つのセンサからの出力信号は、折り目の状態により変化する。従って、出力信号の変化や有無により折り目の発生箇所、形状を判断することが可能である。また、出力信号の変化量は、原稿表面の反射により異なるが、予め、原稿の種類を特定することで、出力信号の変化量から原稿の変化量を特定することができる。
【００５０】
図５に戻って説明を続けると、ステップＳ４では、得られた画像に補正を施すかどうかを判断する。
【００５１】
上述したように、原稿の不良の発生箇所や原稿の変化量の特定は、第１のセンサ２０と第２のセンサ２１の重なり部で可能である。また、特定された折り目の位置は、原稿の搬送方向に垂直方向の画像データすべてに適用可能である。そのため、画像に補正を行うかどうかをユーザに選択させる。ここで、画像補正を行わないことを選択した場合には、処理はそのまま終了し、画像補正を行うことを選択した場合には、処理はステップＳ５に進む。
【００５２】
また、その選択の補助情報として、第１のセンサ２０、第２のセンサ２１での折り目判定以外にも、同様に、第２のセンサ２１と第３のセンサ（不図示）による折り目の判定結果を使用することができる。この場合、第１のセンサと第２のセンサによる画像読取により第１の重なり部が、第２のセンサと第３のセンサによる画像読取により第２の重なり部が形成される。そして、第１の重なり部から検出した変動量と、第２の重なり部から算出した変動量が凡そ同等である場合、その間にある重なり部以外の部分は同様の折り目と判定する。つまり、第２の重なり部全域が同様の折り目状態であると判定する。大判画像読取部で画像読取を行なって形成される重なり部が複数あれば、複数個所で同様の折り目判定を実行することで、全域の折り目状態を判定する確度を向上させることができる。
【００５３】
最後に、ステップＳ５では、第１のセンサによる読取によって得られた結果（第１の読取結果）と第２のセンサによる読取によって得られた結果（第２の読取結果）とを補正する。
【００５４】
原稿５の折り目の検出結果を補正する例について説明する。
【００５５】
原稿の折り目によって生じるセンサの出力信号の変化の要因は、センサと原稿との間の高さ変化や原稿への照射光や反射光の角度変化である。出力信号の変化の原因を折り目と判定する場合、折り目による出力信号の変化量はセンサの位置によらずおおよそ一様と判断する。
【００５６】
ここで、重なり部２３における第１のセンサ２０の出力信号から暗電流を除いた値をＡとし、第２のセンサ２１の出力信号から暗電流を除いた値をＢとする。さらに、折り目の出力信号の基準値を重なり部２３における第１のセンサ２０の出力信号と第２のセンサ２１の出力信号の平均値をＣとすると、Ｃ＝（Ａ＋Ｂ）／２となる。
【００５７】
折り目における重なり部２３以外の暗電流を除いた第１のセンサ２０の出力をＤとした時に補正後の出力をＤ×Ｃ／Ａとし、同様に、折り目における重なり部２３以外の暗電流を除いた第２のセンサ２１の出力をＥとした時に補正後の出力をＥ×Ｃ／Ｂとする。
【００５８】
原稿の種類によっては高さの変化量が異なることがある。従って、原稿情報を取得し、原稿の種類に応じて、それぞれの補正後の出力に係数をかけても良い。原稿の種類を考慮することで、補正精度を向上させることができる。
【００５９】
また、第１のセンサ２０と第２のセンサ２１の重なり部２３において、重なり部の位置に応じて、ＡとＢの割合を変えることで重なり部の検出値ずれを小さくできる。
【００６０】
図１０に重なり部における補正方法を模式的に示す図である。
【００６１】
図１０に示すように、例えば、第１のセンサ２０（非重なり部）からの出力信号をＦ、第１のセンサ２０（重なり部）の出力信号をＧ、Ｉ、Ｋ、第２のセンサ２１（重なり部）の出力信号をＨ、Ｊ、Ｌ、第２のセンサ２１（非重なり部）の出力信号をＭとする。ここで、すべての出力信号は、暗電流を除いた出力となっているとする。また、出力信号Ｇ、Ｉ、Ｋは重なり部２３の異なる位置で得られる第１のセンサ２０からの出力信号である。さらに、出力信号Ｈ、Ｊ、Ｌは重なり部２３の異なる位置で得られる第２のセンサ２１からも出力信号である。
【００６２】
また、重なり部２３における第１のセンサ２０の出力と第２のセンサ２１の出力の平均値とＮとすると、その単純平均は、
Ｎ＝（Ｇ＋Ｈ＋Ｉ＋Ｊ＋Ｋ＋Ｌ）／６
となる。Ｆの出力は、Ｆ×Ｎ／Ｇとする。
【００６３】
一方、第１のセンサ２０への距離、第２のセンサ２１への距離を考慮して、その距離に関する加重平均をとることもできる。
【００６４】
即ち、ＧおよびＨの位置では、第１のセンサ２０に近いため、第１のセンサ２０の比率を増やし、
（Ｇ×２＋Ｈ×１）／３
とする。ＩおよびＪの位置では、比率を同じにし、
（Ｉ＋Ｊ）／２
とする。ＫおよびＬの位置では、第２のセンサ２１に近いため、第２のセンサ２１の比率を増やし、
（Ｋ×１＋Ｌ×２）／３
とする。Ｍの出力は、Ｍ×Ｎ／Ｌとする。
【００６５】
以上、重なり部２３の検出ずれを小さくするための一つの例を示した。もちろん、その重みづけの割合は任意であり、他の比率でも良い。
【００６６】
従って、以上説明した実施例に従えば、第１のセンサと発光部と受光部の構成を第１のセンサとは異ならせた第２のセンサの出力結果から原稿の状態（例えば、折り目）を判別し、その判別された部分に対して画像補正を施すことができる。これにより、原稿の状態に影響されない良好な画像読取を実現することができる。
【００６７】
なお、２つのセンサからの出力特性の違いを用いて、折り目以外の状態を検出することも可能である。例えば、第１のセンサ２０と第２のセンサ２１の出力結果から、出力された大判図面の原稿は、必ずしも保管状態が良好とは限らないので、例えば、原稿にごみなどの異物が付着した状態を判別することができる。判別されたごみは、画像処理により異物として除去してもよいし、周辺画像から補完処理を行なってもよい。
【００６８】
また、以上説明した実施例では、２つのセンサそれぞれの発光部と受光部の配置が原稿の搬送方向の上流側と下流側で真逆となる例について説明した。このような真逆の配置構成は、原稿の凹凸に対して最も検出性能を高めることができるが、本発明はこれによって限定されるものではない。例えば、同じユニットを同一方向に配置した場合にも、筺体への組付精度、受光部、発光部の精度により傾きが異なるため、本体組立後に、複数の重なり部から、最も傾きの異なるセンサを選択し、そのセンサを用いるようにしても良い。また、例えば、第２のセンサ２１を第１のセンサ２０に対し傾けて構成しても同様である。
【００６９】
なお、以上説明した実施例では、記録装置としてインクジェット方式を用いた装置を例にとったが、電子写真方式を用いた装置を用いても良い。
【符号の説明】
【００７０】
１  搬送ローラ、２  読取センサ、３  カバー、４  筺体、５  原稿、６  記録部、
７  スタンド、８  画像読取部、９  操作パネル、１００  センサ、
１０１  Ａ／Ｄ変換部、１０２  画像処理部、１０３  ＲＯＭ／ＲＡＭ、
１０４  インタフェース部、１０６  搬送モータ、１０７  コントローラ
【図１】
2018125771.tif 000003
【図２】
2018125771.tif 000004
【図３】
2018125771.tif 000005
【図４】
2018125771.tif 000006
【図５】
2018125771.tif 000007
【図６】
2018125771.tif 000008
【図７】
2018125771.tif 000009
【図８】
2018125771.tif 000010
【図９】
2018125771.tif 000011
【図１０】
2018125771.tif 000012